(57)【要約】      （修正有）【課題】タオルの素材、色彩、図柄等に工夫を加えるだけで、タオル本来の機能を全く損なうことなく、遊び道具的な機能を発揮させることができるタオルを提供する。【解決手段】平面視略長方形のタオル本体１の表側１Ａにおいてタオル本体の短辺を略３等分して長辺方向に延びる３つの仮想区画１ａ、１ｂ、１ｃを作り、３つの仮想区画の中の中央の仮想区画１ｂにおけるタオル本体の長さ方向の両端寄りの部位に文字、図形、記号を含む適宜形象物の絵柄３ａ、３ｂを配置し、タオル本体の裏側は、有形無地一色に形成する。絵柄がビールグラスであり、裏側の色をビールの色とするのが好ましい。表側の絵柄と、裏側に配した有彩の無地一色とを活用して、趣味性の高い首掛けタオルやビールが溢れたジョッキの形態に造型することができる。【選択図】図１
0003221987.tif 000002
【実用新案登録請求の範囲】
【請求項１】
平面視略長方形のタオル本体の表側に配置された当該タオル本体の短辺を略３等分しこのタオル本体の長辺方向に延びる３つの仮想区画と、前記３つの仮想区画の中の中央の仮想区画に前記タオル本体の長さ方向の両端寄りに配置された文字、図形、記号を含む適宜形象物の絵柄と、このタオル本体の裏側に配置された無地一色の裏地とを備えていることを特徴とする遊び機能を発揮できるタオル。
【請求項２】
前記タオル本体は、絵柄が表示された中央の仮想区画を挟む２つの仮想区画が夫々にタオル本体の裏側へ折り重ねられて前記絵柄を表に出して中央の仮想区画の幅の首掛け当該タオル状に形成できる請求項１の遊び機能を発揮できるタオル。
【請求項３】
前記タオル本体の表側に配置される絵柄は、文字、図形、記号を含む適宜形象物である請求項１または２の遊び機能を発揮できるタオル。
【請求項４】
前記タオル本体において、裏側の色は有彩の無地一色である請求項１〜３のいずれかの遊び機能を発揮できるタオル。
【請求項５】
絵柄がビールグラスである請求項３の遊び機能を発揮できるタオル。
【請求項６】
裏側の色がビールの色である請求項５の遊び機能を発揮できるタオル。
【考案の詳細な説明】
【技術分野】
【０００１】
本考案は、フェイスタオルやスポーツタオルなどのタオル（以下、単にタオルという）に、タオル本来の用途に加え、タオル本来の機能を全く損なうことなくいわば遊び道具として利用できる機能を発揮するための構成を備えたタオルに関する。
【背景技術】
【０００２】
従来よりタオルは、用途に合わせて色や生地の風合等を含む様々なものが市販されており、日常生活上の様々な場面において広く用いられている。
【０００３】
従来のタオルにおいては、特許文献１〜３に示すように、タオルに付加構造を加えてタオル以外の用途や機能を持たせる多用途タオルや多機能タオルの提案は見られるが、遊び道具的な機能まで備えたタオルは見当たらない。
【先行技術文献】
【特許文献】
【０００４】
【特許文献１】特許第６３２１４９３号公報
【特許文献２】実用新案登録第３２１３３０２号公報
【特許文献３】実用新案登録第３１９５４０３号公報
【考案の概要】
【考案が解決しようとする課題】
【０００５】
タオルにおいて趣味性を発揮させる手法は、例えば、素材の選択、色彩の設定、図柄を含むデザインの付与であり、これらの手法は通常のタオル製造においては日常的に実行されている事項である。
【０００６】
本考案は、通常のタオルにおいて趣味性を発揮させるために従来より活用されている素材、色彩、図柄等に工夫を加えるだけで、タオル本来の機能を全く損なうことなく、遊び道具的な機能を発揮させることができるタオルを提供することを課題とする。
【課題を解決するための手段】
【０００７】
上記課題を解決することを目的として考案された本考案タオルの構成は、平面視略長方形のタオル本体の表側において当該タオル本体の短辺を略３等分して長辺方向に延びる３つの仮想区画を作り、３つの仮想区画の中の中央の仮想区画におけるタオル本体の長さ方向の両端寄り部に文字、図形、記号を含む適宜形象物の絵柄の表示を配置し、このタオル本体の裏側は、無地一色に形成していることを特徴とする。
【０００８】
本考案タオルにおいて、表側の絵柄は、文字、図形、記号を含む適宜形象物の絵柄であれば特定されないが、一例としてビールグラスがある。また、表側の絵柄がビールグラスである場合、裏側の無地一色の色としては、ビール飲料の色（例えば、小麦色等）であることが好ましいが、絵柄がビールグラス以外の形象物の場合には、その形象物に見合った色が選択される。
【０００９】
本考案タオルは、上記構成において、前記タオル本体の表側の絵柄の表示を挟む２つの仮想区画を夫々、タオル本体の裏側へ折り重ねて絵柄の表示を有する仮想区画の幅の首掛けタオル状に形成することができる。首掛けタオル状にした本考案タオルは、首に掛けて両側を胸側に垂らすと、絵柄が一例としてビールを入れたビールグラスであるときは、その絵柄が垂れた部の表面中央に現われるから、趣味感を高め、興趣をそそらせる。
【００１０】
本考案タオルは、表側を上面にしたタオル本体の上下を反転させ、この状態のとき上位にある仮想区画を山折りで裏側（下面）に折曲げて裏側の中央の仮想区画の近傍の上に重ね、この状態でタオル本体を長さ方向の両端から裏側を外にして表側の中に巻き込むと、恰も大型ジョッキにビールが入ったような姿に見える。
【考案の効果】
【００１１】
本考案タオルは、通常のタオルとして使用できることは勿論、タオル本体の表側に所定位置に配置した絵柄と、裏側に配した有彩の無地一色とを活用して、趣味性の高い首掛けタオルやビールが溢れたジョッキの形態に造型することができる。
【図面の簡単な説明】
【００１２】
【図１】本考案タオルの一例を横長に置いた状態の表側の平面図。
【図２】図１のタオルの裏側の平面図。
【図３】図１と図２に示した本考案タオルを首掛けタオルに形成した例の平面図。
【図４】図３の首掛けタオルの使用状態の正面図。
【図５】図１のタオル本体を上下で反転させた状態の平面図。
【図６】図５のタオル本体を裏返して上位に位置する仮想区画部分を下側へ折曲げた状態の平面図。
【図７】図６のタオル本体をビールが注がれたジョッキに造型する状態を示す斜視図で、（ａ）は造型途中の斜視図、（ｂ）はビールが注がれたジョッキの出来上がりを示す斜視図。
【図８】図７（ｂ）のジョッキ２つで乾杯遊びをしている斜視図。
【考案を実施するための形態】
【００１３】
次に、本考案タオルＴＷの実施形態例について、図を参照して説明する。１は、通常のタオルと同様の素材で通常タオルの大きさに形成されたタオル本体、２ａ、２ｂは、タオル本体１の表側１Ａをこのタオル本体１の長辺に沿って３つの仮想区画１ａ、１ｂ、１ｃに区画する２本の仮想区画線、１ｄ，１ｅはタオル本体１の長手方向の端部である。なおタオル本体１の表側１Ａは白色である。表側１Ａは白色に限られるものではない。
【００１４】
２本の仮想区画線２ａ、２ｂで区画された３つの仮想区画１ａ、１ｂ、１ｃのうち、中央に位置する仮想区画１ｂに、２つの絵柄３ａ、３ｂが設けられる。また下位の仮想区画の略中央に文字等を含む表示３ｃが設けられる。
【００１５】
絵柄３ａ、３ｂは、図１の仮想区画１ｂにおいて、夫々に外側端寄りに配置されている。絵柄３ａ、３ｂ、及び表示３ｃは、プリント、織成、編成、シール貼付等の公知手法で形成されていれば足りる。図１の絵柄３ａ、３ｂは、ビールグラスが一例として表示されている。絵柄３ａ、３ｂはビールグラス以外の適宜形象物でもよい。
【００１６】
図２は、前記タオル本体１の裏側１Ｂを示したもので、この裏側１Ｂには、図２に色は出ないが、ここではビール飲料の色に似たゴールド色や琥珀色などの無地一色が付与されている。タオル本体１の裏側１Ｂに対する色の形成は、プリントや染色等、公知の色付け手法で形成されている。
【００１７】
図１、図２により説明した本考案タオルＴＷは、そのタオル本体１における仮想区画１ａと１ｃを、図１の長手方向（タオル本体１の長辺に沿う方向）において、夫々、山折りで裏側１Ｂの側に折り曲げて、平面から見た幅をほぼ仮想区画１ｂの幅（図１の上下幅）に形成する（図３参照）。
【００１８】
ほぼ仮想区画１ｂと同じ幅に形成されたタオル本体１は、その左右側の外側端寄りに、ビールグラスの絵柄３ａ、３ｂが、注ぎ口を対向させた形の横向き（倒れた向き）で現われている（図３参照）。
【００１９】
そこで仮想区画１ｂの幅に細くした上記タオル本体１を首に掛けると、恰もビールグラスが正立した向きで首から垂れ下がったタオル本体１の両側に現われる首掛けタオルになる（図４参照）。
【００２０】
本考案タオルＴＷは、図３、図４に示した首掛けタオル形態のほか図５、図７に示す大形のビールジョッキにビールが注がれた形態を表現した造型とすることができる。
【００２１】
本考案タオルＴＷによるビールを注いだビールジョッキの造形は、図１の状態のタオル本体１の天地を逆転して図５の状態にし、この状態で仮想区画１ａの上下幅の７０〜８０％程度の幅の部分を、山折りで裏側１Ｂの中央の仮想区画１ｂの近傍に重ね、重ねた状態でタオル本体１を裏返して図６の状態を作る。
【００２２】
図６の状態に形成したタオル本体１を、図７に示すように、長さ方向の両端部から表側１Ａの側に巻き込む（図６（ａ）参照）と、図６（ｂ）に示す形、すなわち、ビールが注がれたビールジョッキ状の姿になる。この姿のビールジョッキには、仮想区画１ｃに表示したビール会社の標章３ｃがこのビールジョッキの上部に現われ、表側１Ａの白色（白地）がジョッキの上部に溢れる泡に見える。
【００２３】
そこで、ビールジョッキの姿になった本考案タオルＴＷの２つを、友人同士等で手に持ち、図８に示すように乾杯の所作をして遊ぶことができる。
【００２４】
本考案において、タオル本体１の表側１Ａの仮想区画１ｂに設ける絵柄３ａ、３ｂは、上記例は、ビールグラスであったが、ビールグラス以外の形象物、例えば鳥等の動物、樹木や花等の植物、飛行機や自動車等の機器類など、表示する絵柄に限定はない。また、タオル本体１の裏側１Ｂの色もビール等に類似の色のみならず、任意の色を選択することができる。
【００２５】
本考案は以上の通りであるから、タオル本来の機能を全く損なうことなく、首掛けタオルやビールジョッキに展開することが可能な遊び機能を発揮できるタオルを提供することができる。
【符号の説明】
【００２６】
ＴＷ  本考案タオル
１  タオル本体
１Ａ  タオル本体の表側
１Ｂ  タオル本体の裏側
１ａ〜１ｃ  仮想区画
１ｄ、１ｅ  タオル本体の端部
２ａ、２ｂ  仮想区画線
３ａ、３ｂ  絵柄
３ｃ  表示
【図１】
0003221987.tif 000003
【図２】
0003221987.tif 000004
【図３】
0003221987.tif 000005
【図４】
0003221987.tif 000006
【図５】
0003221987.tif 000007
【図６】
0003221987.tif 000008
【図７】
0003221987.tif 000009
【図８】
0003221987.tif 000010